(57)【要約】【課題】  循環ダクトの内部および熱交換室に流入した後の空気流れの偏りを緩和することにより、空調手段の熱効率を向上して自動販売機の消費電力を低減する。【解決手段】  商品収納庫内を流れる空気流れを均一化する風ガイドを設置する。風ガイドが、循環ダクト１１と蒸発器６との間に略水平に設置された平板１０１または略鉛直に設置された網状部材４０１、あるいは、熱交換室８の内部に設置された斜面２０１やダクト２１１であって、鉛直方向で下方位置の空気流れを上方に誘導する。さらに、風ガイドが循環ダクト１１内に設置された庇状部材３０１であって、空気流れの水平方向の偏りを緩和する。さらに、ヒータが屈曲して水平発熱部６０３０を具備したり、放熱フィン７０３を具備したりする。【選択図】        図１
2005018733.tif 000002
【特許請求の範囲】
【請求項１】
商品を収納して順次下方に搬出する機能を有した商品ラックと、
商品を搬出する商品搬出口と、
前記商品ラックから落下した商品を前記商品搬出口に誘導するシュータと、
該シュータの下方に配置され空気の温度を調整する加熱／冷却手段と、
該加熱／冷却手段に隣接して設置され温度調整された空気を送り出す送風手段と、
該送風手段によって送られた空気を前記商品ラックの内部を経由して前記加熱／冷却手段に循環させるための循環ダクトとを具備する商品収納庫を有し、
前記循環ダクトの内部から前記送風手段までの流路の所定位置において、空気の流れを均一化するための風ガイドを設置したことを特徴とする自動販売機。
【請求項２】
前記風ガイドが前記循環ダクトと前記加熱／冷却手段との間に設置され、下方位置の空気流れを上方に誘導することを特徴とする請求項１記載の自動販売機。
【請求項３】
前記風ガイドが前記循環ダクトの下部に穿設された空気吹き出し口の下方縁に沿って固定され、且つ前記加熱／冷却手段に向かう平板によって形成されることを特徴とする請求項２記載の自動販売機。
【請求項４】
前記風ガイドが複数の通風穴または通風隙間を具備する網状部材であって、前記商品収納庫の床面に立設されることを特徴とする請求項２記載の自動販売機。
【請求項５】
前記風ガイドが前記加熱／冷却手段の内部に設置され、下方位置の空気流れを上方に誘導することを特徴とする請求項１乃至４の何れかに記載の自動販売機。
【請求項６】
前記加熱／冷却手段が前記循環ダクトに近い位置に配置された空気冷却部と、前記循環ダクトから遠い位置に配置された空気加熱部とを具備し、
前記風ガイドが、該空気冷却部と空気加熱部との間で前記商品収納庫の床面に斜めに設置され、下方位置の空気流れを上方に誘導することを特徴とする請求項５記載の自動販売機。
【請求項７】
前記加熱／冷却手段が前記商品収納庫の床面との間に隙間を空けて配置された空気冷却部を具備し、
前記風ガイドが前記隙間を閉塞することを特徴とする請求項５記載の自動販売機。
【請求項８】
前記風ガイドが前記加熱／冷却手段と送風手段との間に設置され、前記加熱／冷却手段を通過した空気を前記送風手段に誘導することを特徴とする請求項１乃至７の何れかに記載の自動販売機。
【請求項９】
前記加熱／冷却手段が空気加熱部を具備し、
前記風ガイドが前記商品収納庫の床面に斜めに設置され、該空気加熱部を通過した空気を鉛直下方に誘導することを特徴とする請求項８記載の自動販売機。
【請求項１０】
前記風ガイドが前記循環ダクトの内部に設置され、空気流れを水平方向で均一化することを特徴とする請求項１乃至９の何れかに記載の自動販売機。
【請求項１１】
前記風ガイドが断面略へ字状または断面略一字状の板材によって形成され、且つ前記循環ダクトの上部に穿設された空気吸い込み口の鉛直下方に配置され、前記空気吸い込み口から吸い込まれた空気を水平方向に誘導することを特徴とする請求項１０記載の自動販売機。
【請求項１２】
前記風ガイドが前記循環ダクトの内部で前記循環ダクトの下部に穿設された空気吹き出し口に対峙して設置され、前記循環ダクト内を下降する空気を前記加熱／冷却手段に向けて誘導することを特徴とする請求項１乃至１１の何れかに記載の自動販売機。
【請求項１３】
前記加熱／冷却手段が空気加熱部を具備し、該空気加熱部が、前記商品収納庫の床面に略平行な水平発熱部と、該水平発熱部から上方に屈曲した鉛直発熱部とを有することを特徴とする請求項１乃至１２の何れかに記載の自動販売機。
【請求項１４】
前記加熱／冷却手段が空気加熱部を具備し、該空気加熱部が、発熱体と、該発熱体に設置された複数の板材からなる放熱フィンとを有することを特徴とする請求項１乃至１３の何れかに記載の自動販売機。
【請求項１５】
商品を収納して順次下方に搬出する機能を有した商品ラックと、
商品を搬出する商品搬出口と、
前記商品ラックから落下した商品を前記商品搬出口に誘導するシュータと、
該シュータの下方に配置され空気の温度を調整する加熱／冷却手段と、
該加熱／冷却手段に隣接して設置され温度調整された空気を送り出す送風手段と、
該送風手段によって送られた空気を前記商品ラックの内部を経由して前記加熱／冷却手段に循環させるための循環ダクトとを具備する商品収納庫を有し、
前記加熱／冷却手段が前記循環ダクトに近い位置に配置された空気冷却部と、前記循環ダクトから遠い位置に配置された空気加熱部とを具備し、
該空気冷却部と空気加熱部との間に設置され、空気流れを前記空気加熱部に向けて誘導する風ガイドを有することを特徴とする自動販売機。
【請求項１６】
前記風ガイドが、下方位置の空気流れを上方に誘導する斜め上向きガイド板と、側方位置の空気流れを前記空気加熱部の中央側に誘導する斜め内向きガイド板とを有することを特徴とする請求項１５載の自動販売機。
【請求項１７】
前記風ガイドがダクト構造であって、下方位置の空気流れを上方に誘導する斜め上向きガイド板と、側方位置の空気流れを前記空気加熱部の中央側に誘導する斜め内向きガイド板と、上方位置の空気流れを下方に誘導する斜め下向きガイド板とを有することを特徴とする請求項１５載の自動販売機。
【発明の詳細な説明】
【技術分野】
【０００１】
本発明は、缶、ビン、パック、ペットボトル等の容器に入れた飲料等の商品を冷却、もしくは加熱して販売に供する自動販売機に関する。
【背景技術】
【０００２】
図９および図１０は、従来の自動販売機を示すものであって、図９は全体の横断面図、図１０は一部を拡大した横断面図である。
（自動販売機）
図９および図１０において、自動販売機９００は、内部が断熱区画された筐体からなる商品収納庫１と、商品収納庫１の内部の空気を所定の温度（低温）にするための冷却ユニット５とを有している。なお、商品３は、缶、ビン、ペットボトル等の容器に入れた飲料等の商品であって、商品そのものまたは商品が封入された容器を指している。
【０００３】
（商品収納庫）
商品収納庫１の前面壁１２（図中、左側）の下部には、製品取り出し用の商品搬出口１０が設けられ、商品搬出口１０に向かって傾斜したシュータ２が配置され、シュータ２が商品収納庫１の内部を上下に仕切っている。
そして、シュータ２の上方に商品３を集積するための商品ラック４が配置され、シュータ２の下方に熱交換室８が配置されている。
【０００４】
（循環ダクト）
さらに、商品収納庫１の後面壁１３（図中、右側）と略平行に、所定の間隔を設けて循環ダクト壁１４が配置されている。循環ダクト壁１４の上部には商品ラック４の位置に到達して開口する循環ダクト吸い込み口１７が、循環ダクト壁１４の下方には熱交換室８に連通して開口する循環ダクト吹き出し口１５がそれぞれ設けられ、後面壁１３と循環ダクト壁１４とによって挟まれた空間に循環ダクト１１が形成されている。
したがって、送風手段９（以下、送風ファンと称す）によって送られた空気は、商品ラック４の内部を経由して循環ダクト１１に吸い込まれ商品収納庫１内を循環することになる。
【０００５】
（熱交換室）
熱交換室８は商品収納庫１の床面１９に設置され、循環ダクト壁１４に当接して、循環ダクト吹き出し口１５に連通している。そして、商品収納庫１内の空気を所定の温度に維持するための加熱／冷却手段（蒸発器６およびヒータ７）と、商品収納庫１内の空気を循環するための送風ファン９とが収容されている。
したがって、循環ダクト１１を下降した空気は、最初に蒸発器６を通過し、次にヒータ７を通過し、最後に送風ファン９に吸引される。
なお、蒸発器６は冷却ユニット５（商品収納庫１の外部に設置されている）に接続され、所定の冷熱が供給されるものであって、加熱／冷却手段である蒸発器６とヒータ７は商品の種類や季節の変化に応じて適宜使い分けられている。
【０００６】
（シュータ）
シュータ２は、前方（図中、左側）に向けて漸次低くなるように傾斜し、商品ラック４から落下した商品３を商品搬出口１０にまで送り出すものである。また、シュータ２には、送風ファン９から吹き出された空気（冷却または加熱された空気）をシュータ２の上方に流して、商品収納庫１の内部で循環させるための通気穴（図示しない）が穿設されている。
【０００７】
（空気の循環）
従来の自動販売機９００は以上の構成であるから、送風ファン９によって吹き出された空気（冷却または加熱された空気）は、シュータ２の上方に吹き出して、商品ラック４において商品３と熱交換され、循環ダクト１１を経由して再度熱交換室８に吸い込まれる。すなわち、商品収納庫１内の空気は、熱交換を繰り返しながら循環することになる。
たとえば、冷却ユニット５を稼働して蒸発器６に冷熱を供給すると、蒸発器６において冷却された空気が通気穴を経由して商品ラック４に向けて吹き出し、商品ラック４に集積した商品３を冷却する。そして、暖まった空気は循環ダクト１１を経由して再度蒸発器６に戻ってくる。
一方、ヒータ７を稼働した場合には、加熱された空気が通気穴を経由して商品ラック４に向けて吹き出し、商品ラック４に集積した商品３を加熱する。そして、冷めた空気は循環ダクト１１を経由して再度ヒータ７に戻ってくる（例えば、特許文献１参照。）。
【０００８】
【特許文献１】特開平１０−１８８１１２号公報（第２−３頁、図１）
【発明の開示】
【発明が解決しようとする課題】
【０００９】
従来の自動販売機は上記のように構成されているため、以下のような問題点があって、自動販売機の消費電力の低減が阻害されていた。すなわち、
（あ）循環ダクトに吸い込まれた空気（商品との熱交換を済ませたもの）は、循環ダクト内で増速して下向きの慣性力を有するため、略水平方向に方向転換して熱交換室に流入した後も、鉛直方向の下方位置（商品収納庫の床面に近い範囲）に偏る傾向がある。すなわち、該位置において、流速および流量が大きくなる傾向がある。
（い）このため、蒸発器やヒータの熱交換面積の全域に渡って均一な熱交換をすることが困難になるから、熱交換効率が低下する。
（う）また、ヒータの下端が商品収納庫の床面から離れているため、その隙間を前記偏った空気流れが通過するから、加熱されない空気が送風ファンに吸引され、余計な空気を循環させることになり送風ファンの負担が増大する。
（え）また、加熱されない空気が送風されることによって加熱された空気が希釈され、その温度が低下して商品の加熱時間が増加する。
（お）さらに、循環ダクトに吸い込まれた空気（商品との熱交換を済ませたもの）は、循環ダクト内で水平方向（図９において紙面の奥行き方向）に不均一な流れをするため、熱交換室に流入した後も、水平方向の不均一な空気流れが解消しないから、蒸発器やヒータの熱交換面積の全域に渡って均一な熱交換をすることが困難になり、熱交換効率が低下する。
【００１０】
本発明は、このような偏った空気の流れを均一化することにより、加熱／冷却手段の熱交換効率向上や送風手段の負担減少を促進し、消費電力の低減を可能とする自動販売機を得ることを目的とする。
【課題を解決するための手段】
【００１１】
本発明に係る自動販売機は、商品を収納して順次下方に搬出する機能を有した商品ラックと、商品を搬出する商品搬出口と、前記商品ラックから落下した商品を前記商品搬出口に誘導するシュータと、該シュータの下方に配置され空気の温度を調整する加熱／冷却手段と、該加熱／冷却手段に隣接して設置され温度調整された空気を送り出す送風手段と、該送風手段によって送られた空気を前記商品ラックの内部を経由して前記加熱／冷却手段に循環させるための循環ダクトとを具備する商品収納庫を有するものであって、以下の通りである。
【００１２】
本発明に係る自動販売機（請求項１）は、前記循環ダクトの内部から前記送風手段までの流路の所定位置において、空気の流れを均一化するための風ガイドを設置している。
なお、本発明において、均一化とは、不均一の程度（偏りの程度に同じ）が緩和されることを意味し、必ずしも不均一な状態が均一な状態に変化することを意味するものではない。
【００１３】
本発明に係る自動販売機（請求項２）は、前記自動販売機（請求項１）において、前記風ガイドが前記循環ダクトと前記加熱／冷却手段との間に設置され、鉛直方向の下方位置の空気流れを上方に誘導する。
【００１４】
本発明に係る自動販売機（請求項３）は、前記自動販売機（請求項２）において、前記風ガイドが前記循環ダクトの下部に穿設された空気吹き出し口の下方縁に沿って固定され、且つ前記加熱／冷却手段に向かう平板によって形成される。
【００１５】
本発明に係る自動販売機（請求項４）は、前記自動販売機（請求項２）において、前記風ガイドが複数の通風穴または通風隙間を具備する網状部材であって、前記商品収納庫の床面に立設されることを特徴とするものである。
【００１６】
本発明に係る自動販売機（請求項５）は、前記自動販売機（請求項１〜４）の何れかにおいて、前記風ガイドが前記加熱／冷却手段の内部に設置され、鉛直方向で下方位置の空気流れを上方に誘導する。
【００１７】
本発明に係る自動販売機（請求項６）は、前記自動販売機（請求項５）において、前記加熱／冷却手段が前記循環ダクトに近い位置に配置された空気冷却部と、前記循環ダクトから遠い位置に配置された空気加熱部とを具備し、
前記風ガイドが、該空気冷却部（上流側に配置されている）と空気加熱部（下流側に配置されている）との間で前記商品収納庫の床面に斜めに設置され、鉛直下方位置の空気流れを上方に誘導する。
【００１８】
本発明に係る自動販売機（請求項７）は、前記自動販売機（請求項５）において、前記加熱／冷却手段が前記商品収納庫の床面との間に隙間を空けて配置された空気冷却部を具備し、前記風ガイドが前記隙間を閉塞する。
【００１９】
本発明に係る自動販売機（請求項８）は、前記自動販売機（請求項１〜７）の何れかにおいて、前記風ガイドが前記加熱／冷却手段と送風手段との間に設置され、前記加熱／冷却手段を通過した空気を前記送風手段に誘導する。
【００２０】
本発明に係る自動販売機（請求項９）は、前記自動販売機（請求項８）において、空気加熱部とを具備し、前記風ガイドが前記商品収納庫の床面に斜めに設置され、該空気加熱部を通過した空気を鉛直下方に誘導する。
【００２１】
本発明に係る自動販売機（請求項１０）は、前記自動販売機（請求項１〜９）の何れかにおいて、前記風ガイドが前記循環ダクトの内部に設置され、空気流れを水平方向で均一化する。
【００２２】
本発明に係る自動販売機（請求項１１）は、前記自動販売機（請求項１０）において、前記風ガイドが断面略へ字状または断面略一字状の板材によって形成され、且つ前記循環ダクトの上部に穿設された空気吸い込み口の鉛直下方に配置され、前記空気吸い込み口から吸い込まれた空気を水平方向に誘導する。
【００２３】
本発明に係る自動販売機（請求項１２）は、前記自動販売機（請求項１〜１１）の何れかにおいて、前記風ガイドが前記循環ダクトの内部で前記循環ダクトの下部に穿設された空気吹き出し口に対峙して設置され、前記循環ダクト内を下降する空気を前記加熱／冷却手段に向けて誘導する。
【００２４】
本発明に係る自動販売機（請求項１３）は、前記自動販売機（請求項１〜１２）の何れかにおいて、前記加熱／冷却手段が空気加熱部を具備し、該空気加熱部が、前記商品収納庫の床面に略平行な水平発熱部と、該水平発熱部から上方に屈曲した鉛直発熱部とを有する。
【００２５】
本発明に係る自動販売機（請求項１４）は、前記自動販売機（請求項１〜１３）の何れかにおいて、前記加熱／冷却手段が空気加熱部を具備し、該空気加熱部が、発熱体と、該発熱体に設置された複数の板材からなる放熱フィンとを有する。
【００２６】
本発明に係る自動販売機（請求項１５）は、商品を収納して順次下方に搬出する機能を有した商品ラックと、
商品を搬出する商品搬出口と、
前記商品ラックから落下した商品を前記商品搬出口に誘導するシュータと、
該シュータの下方に配置され空気の温度を調整する加熱／冷却手段と、
該加熱／冷却手段に隣接して設置され温度調整された空気を送り出す送風手段と、
該送風手段によって送られた空気を前記商品ラックの内部を経由して前記加熱／冷却手段に循環させるための循環ダクトとを具備する商品収納庫を有し、
前記加熱／冷却手段が前記循環ダクトに近い位置に配置された空気冷却部と、前記循環ダクトから遠い位置に配置された空気加熱部とを具備し、
該空気冷却部と空気加熱部との間に設置され、空気流れを前記空気加熱部に向けて誘導する風ガイドを有することを特徴とする。
【００２７】
本発明に係る自動販売機（請求項１６）は、前記風ガイドが、下方位置の空気流れを上方に誘導する斜め上向きガイド板と、側方位置の空気流れを前記空気加熱部の中央側に誘導する斜め内向きガイド板とを有することを特徴とする。
【００２８】
本発明に係る自動販売機（請求項１７）は、前記風ガイドがダクト構造であって、下方位置の空気流れを上方に誘導する斜め上向きガイド板と、側方位置の空気流れを前記空気加熱部の中央側に誘導する斜め内向きガイド板と、上方位置の空気流れを下方に誘導する斜め下向きガイド板とを有することを特徴とする。
【発明の効果】
【００２９】
本発明に係る自動販売機は、商品を収納して順次下方に搬出する機能を有した商品ラックと、商品を搬出する商品搬出口と、前記商品ラックから落下した商品を前記商品搬出口に誘導するシュータと、該シュータの下方に配置され空気の温度を調整する加熱／冷却手段と、該加熱／冷却手段に隣接して設置され温度調整された空気を送り出す送風手段と、該送風手段によって送られた空気を前記商品ラックの内部を経由して前記加熱／冷却手段に循環させるための循環ダクトとを具備する商品収納庫を有するものであって、前記構成であるから、以下のように空気流れが均一化され、加熱／冷却手段の熱交換効率が向上し、また、送風手段の送風量が減少し、自動販売機全体の消費電力の低減が図られる。
【００３０】
請求項１に係る自動販売機によれば、商品収納庫内を流れる空気の流れ（以下、空気流れと称す）が、循環ダクト内や加熱／冷却手段の前後等で局所的に増速および増量して不均一になっても、風ガイドによって均一化されることになる。このため、加熱／冷却手段の熱交換面積の全域に渡って均一な熱交換が実行される（均一な熱負荷が生じる）から、熱交換効率が向上する。
また、空調が不充分な空気が商品収納庫内を循環しないから、送風手段の負担が減少する。さらに、空調された空気が希釈されることがなく、商品との伝熱交換効率が低下することが防止される。
よって、各機器の出力の抑制や運転時間の短縮が可能になるから、自動販売機全体の消費電力の低減が図られる。
【００３１】
請求項２に係る自動販売機によれば、風ガイドが循環ダクトと加熱／冷却手段（蒸発器）との間に設置されるため、循環ダクトから吹き出された鉛直方向の下方位置に偏って流れる空気流れが、上方に誘導されるから、加熱／冷却手段（蒸発器、ヒータ）を流れる空気流れが均一化される。
すなわち、循環ダクト内を下降した空気流れは循環ダクトの下部で方向転換して、循環ダクト吹き出し口を経由して加熱／冷却手段に吸い込まれるから、該方向転換の際、慣性力によって下方位置の空気流れ（商品収納庫の床面に近い範囲を略水平方向に流れる空気流れに相当）の流速および流量が増大する傾向にあるものの、該風ガイドによって上向きの空気流れが生じるため、結果として、該下方位置の空気流れが減速および減量することになる。
よって、前記請求項１に記載した効果と同様の効果が奏される。
【００３２】
請求項３に係る自動販売機によれば、風ガイドが循環ダクト吹き出し口の下方縁に沿って固定された平板であるため、簡単な構成であって、前記自動販売機（請求項２）に記載した効果と同じ効果を奏する。また、循環ダクト吹き出し口に衝立状の障壁が形成されないから、空気流れの剥離や乱れが少なく、加熱／冷却手段の熱交換効率向上および送風手段の負担低減が可能になる。
【００３３】
請求項４に係る自動販売機によれば、風ガイドが穴あき板または網目板であるため、空気流れが穴または網目を通過する際の抵抗によって拡がるから前記自動販売機（請求項２）に記載した効果と同じ効果が奏される。このとき、所定量の空気が穴または網目を通過するから、加熱／冷却手段の全域に空気流れが行き渡ることになる。すなわち、加熱／冷却手段（たとえば、蒸発器）にデッドゾーンが生じない。
【００３４】
請求項５に係る自動販売機によれば、風ガイドが加熱／冷却手段の内部に設置されるから、鉛直方向の上下で不均一のまま吸い込まれる空気を、加熱／冷却手段の内部で均一化することができる。
すなわち、循環ダクト内を下降した空気流れは循環ダクトの下部で方向転換して、循環ダクト吹き出し口を経由して加熱／冷却手段に吸い込まれるため、該方向転換の際、慣性力によって下方の空気流れの流速および流量が増大したまま加熱／冷却手段に吸い込まれる傾向にあるものの、該風ガイドによって、加熱／冷却手段の内部において上向きの空気流れが生じ、結果として、下方の空気流れが減速および減量することになる。
【００３５】
請求項６に係る自動販売機によれば、風ガイドが空気冷却部（上流側に配置されている蒸発器）と空気加熱部（下流側に配置されているヒータ）との間に設置され、鉛直下方位置の空気流れを上方に誘導する。
すなわち、空気冷却部において不均一な空気流れがある場合であっても、空気加熱部に入る前に、鉛直方向の下方の空気流れを上方に誘導する。したがって、空気加熱部の全域に比較的均一な空気流れを形成するから、空気加熱部の加熱効率が向上し、自動販売機の消費電力の低減が図られる。
また、空気加熱部が商品収納庫内の床面から離れて設置されている場合には、空気加熱部の下端と該床面との隙間に空気が流れ込む傾向にあるものの、該風ガイドによって前記隙間が見かけ上遮蔽された効果が奏されるため、空気加熱部を通過する空気の量が増すから、加熱されていない空気が商品ラックに向けて送られることがなくなる。すなわち、加熱された空気が希釈されて温度が下がることがなく、余計な送風が不要になるから、送風手段の負担が低減する。よって、自動販売機の消費電力が低減する。
【００３６】
請求項７に係る自動販売機によれば、風ガイドが空気冷却部（蒸発器）と床面との間の隙間を塞ぐから、空気冷却部を経由しない未冷却の空気が商品収納庫内を循環することがなくなるから、送風ファンが余計な空気を送ることがない。また、未冷却の空気によって、冷却された空気が希釈されて暖まることがなくなるから、商品の冷却時間が短縮される。よって、加熱／冷却手段の熱交換効率の向上と送風手段の負担減が図られる。
【００３７】
請求項８に係る自動販売機によれば、風ガイドが加熱／冷却手段と送風手段との間に設置され、加熱／冷却手段を通過した空気を送風手段に誘導するから、空調された空気が効果的に送風手段に誘導されるため、加熱／冷却手段における熱交換範囲を通過する空気の流速および流量が均一化されるとともに、熱交換範囲を外れた空気（加熱または冷却されていない空気）が吸引され難くなるから、加熱／冷却手段の熱交換効率の向上と送風手段の負担減が図られる。
【００３８】
請求項９に係る自動販売機によれば、加熱／冷却手段が空気加熱部を具備し、前記風ガイドが商品収納庫の床面に斜めに設置され、空気加熱部を通過した空気を送風手段に向かって下方に誘導するから、前記自動販売機（請求項８）に記載した効果と同じ効果が奏される。
特に、該風ガイドが設置されない場合には、空気加熱部の下端と床面との隙間を空気（未加熱空気）が通過し易く、該未加熱空気が送風手段に吸い込まれ易いものの、該風ガイドを設置することによって前記隙間が狭められた効果（見かけ上遮蔽された効果に準じる）が奏されるため、空気加熱部を通過する空気量が増大するから、未加熱空気が商品ラックに向けて送られることがなくなる。すなわち、加熱空気の希釈が防止され、その分余計な送風が不要になるから、送風手段の負担が低減する。
【００３９】
請求項１０に係る自動販売機によれば、風ガイドが循環ダクトの内部に設置され、循環ダクトの内部を流れる空気の流速分布および流量分布が水平方向で均一化されるため、加熱／冷却手段内を流れる空気流れが水平方向で均一化されて熱交換効率の向上が図られる。
一方、該風ガイドが設置されない場合には、循環ダクトの上部には商品ラックの位置から空気を吸い込む循環ダクト吸い込口が設けられ、下部には加熱／冷却手段に向けて空気を吹き出す循環ダクト吹き出し口が設けられてるため、循環ダクト吸い込み口または循環ダクト吹き出し口の近くでは空気流れが増速および増量している。しかも、通常、循環ダクトは扁平の断面矩形の筒体であるため、一旦生じた不均一な空気流れは解消し難いものであって、該不均一が解消しないままの空気流れが加熱／冷却手段に吸い込まれている。このため、加熱／冷却手段の熱交換面積の全域で均一な熱負荷が生じないから、均一な熱交換が実行されないで熱交換効率が低下していた。
【００４０】
請求項１１に係る自動販売機によれば、風ガイドが断面略へ字状または断面略一字状の板材によって形成され、循環ダクト吸い込口の鉛直下方に庇状の風ガイドが設置されるから、循環ダクト吸い込口から吸い込まれた空気流れは、局所的に高速の範囲を形成して鉛直下方に下降し、該風ガイドに衝突することになる。このとき、風ガイドが断面略へ字状または断面略一字状の板材であるから、簡単な構成によって、衝突した空気流れを水平方向の左右または片方に誘導し、循環ダクト内の空気流れを効果的に水平方向で均一化することができる。
【００４１】
請求項１２に係る自動販売機によれば、風ガイドが循環ダクトの内部で空気吹き出し口に対峙して設置されるから、循環ダクト内を下降する空気流れの一部または全部が、循環ダクトの底面（商品収納庫の床面に相当する）に到達する前に、該風ガイドに衝突して循環ダクト吹き出し口に向かって方向転換する。
このため、空気流れが加熱／冷却手段の鉛直方向の略中間部に向かって方向転換したことになり、加熱／冷却手段を流れる空気流れが鉛直方向で均一化する。
一方、該風ガイドを設置しない場合には、循環ダクト内を下降する空気流れは循環ダクトの底面に到達してから方向転換するから、加熱／冷却手段内を流れる空気流れは慣性力によって前記のように鉛直下方に偏っていた。
【００４２】
請求項１３に係る自動販売機によれば、加熱／冷却手段が空気加熱部を具備し、該空気加熱部が水平発熱部と鉛直発熱部とを有するから、商品収納庫の床面に近い範囲を略水平方向に流れる空気（その他の範囲に比較して流量が多く流速が速い傾向にある）は、該水平発熱部との間で熱交換をするから、該空気が確実に加熱され加熱不足のまま商品ラックに向けて送られることがなくなる。すなわち、その分余計な送風が不要になるから、送風手段の負担が低減する。
【００４３】
請求項１４に係る自動販売機によれば、加熱／冷却手段が空気加熱部を具備し、該空気加熱部の発熱体に放熱フィンが設置されるから、伝熱面積が拡大するため、発熱体と加熱／冷却手段に吸い込まれる空気との熱交換が効率良く実行されため、空気加熱部の小型化が図られる。
【００４４】
請求項１５に係る自動販売機によれば、空気流れを空気加熱部に向けて誘導する風ガイドを有するから、空気加熱部を集中した空気流れが通過するため、空気加熱部の加熱効率が向上する。また、空気加熱部を外れて流れる空気（加熱されていない空気）の量が減少するから、該空気が商品ラックに向けて送られることがなくなる。すなわち、余計な送風が不要になると共に、加熱された空気が希釈されて温度が下がることがなく、送風手段の負担が低減する。よって、自動販売機の消費電力が低減する。
【００４５】
請求項１６に係る自動販売機によれば、風ガイドが、斜め上向きガイド板と斜め内向きガイド板とによって形成された断面略Ｕ字状であって、空気加熱部に向かって風路が絞られるから、空気加熱部に向かってより集中した空気流れが形成されるため、空気加熱部の加熱効率がより向上する。
【００４６】
請求項１７に係る自動販売機によれば、風ガイドがダクト構造であるから、空気加熱部に向かって集中した空気流れがより確実に形成されるため、空気加熱部の加熱効率が一層向上すると共に、空気加熱部の型式選定や配置位置の自由度が増す。
【発明を実施するための最良の形態】
【００４７】
実施形態１として風ガイドを循環ダクトと蒸発器との間に配置したもの、
実施形態２として風ガイドを蒸発器と送風ファンとの間に配置したもの、
実施形態３として風ガイドを循環ダクトの内部に配置したもの、
実施形態４として網状部材からなる風ガイドを循環ダクトと蒸発器との間に配置した網状もの、
実施形態５として風ガイドを循環ダクト吹き出し口に配置したもの、
実施形態６としてヒータを屈曲させたもの、
実施形態７としてヒータに放熱フィンを設置したもの、
実施形態８として風ガイドが蒸発器と床面との隙間を閉塞するするもの、
実施形態９としてヒータ用ダクトを蒸発器と送風ファンとの間に配置したものを、
実施形態１０としてヒータ用チャンネルを蒸発器と送風ファンとの間に配置したものを、以下に説明する。なお、以下の説明における各図においておよび従来の技術（図９、１０）において、同じ部分にはこれと同じ符号を付し、一部の説明を省略する。
【００４８】
［実施形態１］
図１は本発明の自動販売機に係る実施形態１の構成を示すものであって、（ａ）は側面視の断面図、（ｂ）は一部の正面視の断面図である。図１において、自動販売機１００には循環ダクト１１と蒸発器６との間に風ガイド１０１が設置されている。
すなわち、熱交換室８が循環ダクト吹き出し口１５（「イ〜ロ〜ハ〜ニ〜イ」によって包囲された開口部）を包囲して、循環ダクト壁１４に当接し（「ヘ〜ホ〜チ〜ト」に示すコ字状部分）、床面１９に設置されている。
そして、循環ダクト吹き出し口１５の下端縁（「ロ〜ハ」に示す直線）に沿って、風ガイド１０１が略水平に設置され、風ガイド１０１の風下側の側縁（「リ」にて示す位置）は蒸発器６に近接している。
【００４９】
したがって、循環ダクト１１内を下降した空気流れは循環ダクト１１の下部で方向転換して、循環ダクト吹き出し口１５を経由して蒸発器６およびヒータ７を通過するものであるが、該方向転換の際、慣性力によって下方に偏るため、循環ダクト吹き出し口１５の鉛直方向の下の方が、循環ダクト吹き出し口１５の鉛直方向の中央や上に較べ流速および流量が増大する傾向にある。
このとき、該偏った空気流れは風ガイド１０１によって上向きに誘導されるから、蒸発器６およびヒータ７を通過する空気流れが上下方向で均一化される（偏りの程度が緩和される）。よって、熱交換面積の全域に渡って熱負荷の偏りが緩和され、均一な熱交換が実行されることになる。
【００５０】
また、通常、蒸発器６の下端と床面１９との間には隙間（図示しない）が空いているものの、前記下方に偏ろうとする高速の空気流れは、風ガイド１０１によって誘導されて該隙間を通過しないため、確実に蒸発器６を通過することになる。さらに、ヒータ７の下端（「ヌ」にて示す位置）は、床面１９から離れて床面１９との間に隙間を形成するものの、風ガイド１０１によって誘導された空気の流れが該隙間を通過しないため、流れる空気が確実にヒータを通過することになる。
よって、蒸発器６およびヒータ７を通過しないで未冷却または未加熱の空気が商品収納庫１内を循環することがなくなるから、送風ファン９が余計な空気を送ることがなくなる。また、未冷却または未加熱の空気によって、冷却または加熱された空気が希釈されて温度が変わることがなくなるから、商品の冷却または加熱が速くなる。
【００５１】
さらに、循環ダクト吹き出し口１５の下端縁が衝立状に突出しないから、空気流れの剥離や乱れが助長されることがないため、蒸発器６やヒータ７における伝熱効率が悪化することがない。
なお、風ガイド１０１の設置態様は図示するような略水平のものに限定するものではなく、斜め上方または斜め下方に傾斜したり、側面視で円弧状にしたり、あるいは正面視で断面略Ｕ字状（たとえば、「イ〜ロ〜ハ〜ニ」に示すコ字状の一部）にしたりしてもよい。また、加熱／冷却手段（たとえば、蒸発器６）に当接しても、所定の間隔を設けて配置してもよい。
【００５２】
［実施形態２］
図２は本発明の自動販売機に係る実施形態２の構成を示すものであって、（ａ）は側面視の断面図、（ｂ）は一部を拡大した断面図である。図２において、自動販売機２００には熱交換室の内部に風ガイド２０１、２０２が設置されている。
すなわち、風ガイド２０１は蒸発器６の下流側に相当する位置の床面１９（「ル」にて示す位置）からヒータ７の下端（「ヌ」にて示す位置）に向かって傾斜した斜面（「ル〜オ」にて示す範囲）である。
また、風ガイド２０２はヒータ７の下端（「ヌ」にて示す位置）から、送風ファン９の鉛直下方（「カ」にて示す位置）に向かって傾斜した斜面（「ワ〜カ」にて示す範囲）である。
【００５３】
したがって、蒸発器６を通過した空気、特に、商品収納庫１の床面１９の近くを水平に流れる空気（以下、偏った空気流れと称する場合がある）が、風ガイド２０１によって上向きに誘導され、ヒータ７を通過することになる。
よって、ヒータ７を通過しない未加熱の空気が送風ファンに吸い込まれることがないから、余計な空気を循環することがなく送風ファン９の負荷増を抑えることができる。また、加熱済み空気が未加熱の空気によって希釈されて温度が下がることがない。
また、前記偏った空気流れが上向きに誘導されるから、ヒータ７に流れ込む空気流れは鉛直方向で均一化されるため、ヒータ７の加熱面積の略全域で略均一な伝熱が実行され、加熱交換効率が向上して自動販売機の消費電力の低減が図られる。
【００５４】
特に、循環ダクト１１内を下降した空気流れは、循環ダクトの下部で方向転換して循環ダクト吹き出し口１５を経由して熱交換室８に吸い込まれるため、該方向転換の際、慣性力によって下方に偏って、鉛直下方において空気流れの流速および流量が増大するから、しかも、通常、蒸発器６の下端と床面１９との間には隙間（図示しない）があるから、風ガイド２０１は該隙間を通過した高速の空気流れを効果的にヒータ７に向けて誘導していることになる。
【００５５】
一方、風ガイド２０２によって、ヒータ７を通過した空気は送風ファン９に効果的に吸い込まれる。すなわち、上流側の風ガイド２０１によって絞られた流路が、下流側の風ガイド２０２によって滑らかに拡大するから、余計な乱流（渦、剥離等）の発生が防止される。よって、送風ファン９の負荷がさらに低減する。
また、実施形態１に示す風ガイド１０１を併用すれば、さらに熱交換効率が向上し、自動販売機の消費電力が低減する。
【００５６】
なお、上流側の風ガイド２０１を撤去して下流側の風ガイド２０２のみ設置してもよい。このとき、風ガイド２０２は、商品収納庫１の床面１９の近くを水平に流れる空気流れの障害になるため、ヒータ７と床面９との隙間を閉塞する効果を奏する。ただし、上流側の風ガイド２０１による滑らかな誘導がない分、空気流れは乱れたものになると考えられる。
また、風ガイド２０１、２０２は商品収納庫１の床面１９に設置するものに限定するものではなく、同様の風ガイドを商品収納庫１の側壁（鉛直な壁面）に設置してもよい。このとき、商品収納庫１の側壁に沿ってその近傍を流れる空気の流れが、ヒータ７に向けて水平方向で誘導されるから、風ガイド２０１、２０２に準じた作用、効果が発揮される。
【００５７】
［実施形態３］
図３は本発明の自動販売機に係る実施形態３の構成を示すものであって、（ａ）は側面視の断面図、（ｂ）は後面壁を透視した一部の斜視図である。図３において、自動販売機３００の循環ダクト１１の内部に風ガイド３０１が設置されている。
風ガイド３０１は、循環ダクト吸い込み口１７の鉛直下方（図中、「ヨ」および「タ」にて示す位置）に配置され、断面ヘ字状である。このため、風ガイド３０１に衝突した空気流れは、水平方向の左右に振り分けられることになる。
【００５８】
ところで、循環ダクト１１が、循環ダクト吸い込み口１７の幅に較べて大きな幅を有する扁平な筒体であるため、循環ダクト吸い込み口１７から吸い込まれた空気は、循環ダクト吸い込み口１７の鉛直下方（循環ダクト吹き出し口１５の方向に略相当する）に向けて集中して流れ、循環ダクト１１内の水平方向で局所的に流速の速い範囲（鉛直下向きの慣性力が大きな範囲）が生じ、不均一な空気流れを形成している。
このため、前記流速の速い範囲にある空気は、熱交換室８に吸い込まれた後、鉛直下方（床面１９に近い範囲）に偏る傾向にあるから、熱交換面積の全域で均一な熱交換が実行されなかったり、熱交換面積を外れたりして、熱交換効率の低下を招いていた。
【００５９】
一方、本発明の風ガイド３０１は、循環ダクト１１内の流速の速い範囲に設置されるから、高速の空気流れが低速の空気流れに向かって水平方向で振り分けられ、風ガイド３０１よりも下方（下流側に同じ）では水平方向の流速分布が均一化している。したがって、局所的に慣性力の大きな空気流れが熱交換室８に吸い込まれないため、熱交換効率の低下が防止される。
また、実施形態１に示す風ガイド１０１または実施形態２に示す風ガイド２０１、２０２を併用すれば、さらに熱交換効率が向上し、自動販売機の消費電力が低減する。
【００６０】
なお、風ガイドの形状は断面ヘ字状（逆Ｖ字状）に限定するものではなく、断面一字状等いずれであってもよい。また、風ガイドは、循環ダクト吸い込み口の数量と同じ数量を横一列（同一高さ位置）に配置するものに限定するものではなく、たとえば、所定の数量の風ガイドを高さを代えて千鳥状に配置してもよい。
さらに、風ガイドは、循環ダクト壁に設置されるものに限定するものではなく、商品収容庫の後面壁に設置してもよい。また、循環ダクト壁と後面壁との中間位置にまで突出するもの、あるいは循環ダクト壁と後面壁とを跨っているもの（一方に設置され他方に当接する）であってもよい。
【００６１】
［実施形態４］
図４は本発明の自動販売機に係る実施形態４の構成を示すものであって、（ａ）は側面視の断面図、（ｂ）は風ガイドを示す正面図である。図４において、自動販売機４００には、循環ダクト１１と蒸発器６との間に、網状部材からなる風ガイド４０１が設置されている。
風ガイド４０１は、所定の通気穴４０２が穿設された板材（いわゆるパンチングメタルに相当）であって、商品収納庫１の床面１９に立設されている。このため、風ガイド４０１に衝突した空気流れは、一部は板部分で堰き止められ一部は通気穴４０２を通過することになる。
このとき、通気穴４０２を通過した空気流れは通過穴４０２において作用する粘性によって放射状に拡がるため、一部に偏っていた流速分布を均一化することができる。よって、熱交換面積の全域で均一な熱交換が実行されるから、熱交換効率が向上する。
【００６２】
ところで、前記のように、循環ダクト吹き出し口１５から吹き出された空気は、熱交換室８において熱交換室８の鉛直下方に偏る傾向（床面１９に近い範囲で流速および流量が大きい傾向）にあるから、風ガイド４０１によって、該偏りが緩和された結果、ヒータ７の下端と床面１９との間の隙間を通過する空気の量が減少するから、ヒータ７を通過する空気の量が増大する。よって、ヒータ７を通過しないで未加熱の空気が商品収納庫１内を循環することがなくなるから、送風ファン９の余計な送風がなくなる。よって、自動販売機の省エネが図られる。
また、実施形態１〜３に示す風ガイド１０１、２０１、２０２、３０１を併用すれば、さらに熱交換効率が向上して自動販売機の消費電力の低減が図られる。
【００６３】
なお、風ガイドに設ける通過穴は図示するものに限定するものではなく、通過穴の内径や数量を高さ方向で変更してもよい。たとえば、床面に近い範囲の通気穴を小さくしておけば、当該範囲に偏った高速の空気流れを積極的に減速することができる。さらに、通常、蒸発器６の下端と床面１９との間には隙間（図示しない）があるから、風ガイド４０１の該隙間に対応した範囲に通気孔を設けないようにすれば、該隙間を閉塞する作用効果が発揮される。
また、風ガイドは通過穴を有する板材に限定するものではなく、所定の目開きを有する「網」や「格子」であってもよい。
【００６４】
［実施形態５］
図５は本発明の自動販売機に係る実施形態５の構成を示す側面視の断面図である。図５において、自動販売機５００には、循環ダクト吹き出し口１５に対峙して風ガイド５０１が設置されている。
風ガイド５０１は断面一字状の庇であって、正面視で循環ダクト吹き出し口１５に包囲された範囲内の後面壁１３（「レ」に示す）に設置されている。
【００６５】
したがって、循環ダクト１１内を下降した空気流れは風ガイド５０１に衝突して循環ダクト吹き出し口１５に向かって方向転換することになる。そして、方向転換後の空気流れは、下向きの慣性力によって下方に偏るものの、方向転換が比較的高い位置（床面１９から離れている）で行われるため、高速の空気流れが床面１９に近い範囲に集中することがない。よって、実施形態１に示す風ガイド１０１（図１、２参照）と同様の作用、効果を奏し、自動販売機の消費電力の低減が図られる。
【００６６】
また、実施形態１〜４に示す風ガイド１０１、２０１、２０２、３０１、４０１を併用すれば、さらに熱交換効率が向上して自動販売機の消費電力の低減が図られる。
なお、該風ガイドの設置位置（高さ方向または水平方向）、大きさ、形状、および数量は適宜選定自在である。たとえば、循環ダクト１１を跨いで熱交換室８に突出するものであったり、循環ダクト吸い込み口１７の幅に対応する幅の断面一字状や断面へ字状であったりしてもよい。
【００６７】
［実施形態６］
図６は本発明の自動販売機に係る実施形態６の構成を示すものであって、（ａ）は側面視の断面図、（ｂ）はヒータの斜視図である。図６において、自動販売機６００におけるヒータ６０１は水平方向に屈曲した側面視「Ｌ字状」であって、葛折り状に水平面内（図中、Ｘ−Ｙ面）および鉛直面内（Ｙ−Ｚ面）で屈曲している（Ｘ方向は商品収納庫１の前面から後面に向かう方向とする）。
【００６８】
すなわち、ヒータ６０１は、鉛直発熱部６０２「ソ〜ツ」の下端で水平方向に９０°屈曲して水平加熱部６０３「ツ〜ネ」を形成し、さらに、位置「ネ」において水平面内で１８０°屈曲して水平加熱部６０４「ネ〜ナ」を形成し、さらに、位置「ナ」において鉛直方向に９０°屈曲して鉛直加熱部６０５「ナ〜ラ」を形成し、さらに、位置「ラ」において鉛直面内で１８０°屈曲して鉛直加熱部６０６「ラ〜ム」を形成し、以下、同様に「ラ〜ム〜ウ〜イ〜ノ」と水平加熱部６０７、６０８および鉛直加熱部６０９を形成している。
【００６９】
したがって、前記偏った空気流れは、水平発熱部６０３、６０４、６０７、６０８との間で熱交換をするため、熱交換面積が増大した分だけ、確実に加熱される。
よって、前記偏った空気流れがその他の範囲に比較して流量が多く流速が速い場合であっても、加熱不足の空気が送風ファン９に吸い込まれることがなくなるから、実施形態１〜５と同様に、自動販売機の消費電力の低減が図られる。
【００７０】
［実施形態７］
図７は本発明の自動販売機に係る実施形態７の構成を示すものであって、（ａ）は側面視の断面図、（ｂ）はヒータの正面図である。図７において、自動販売機７００におけるヒータ７０１は放熱フィン７０３を具備するものである。
すなわち、ヒータ７０１は、発熱体７０２に設置された複数の板材からなる放熱フィン７０３とを有している。なお、発熱体７０２は発熱体そのものである場合と、発熱体を収容する保護管である場合とがある。
これによると、伝熱面積が拡大するためヒータの熱交換能力が向上し、ヒータの小型化が可能になる。
【００７１】
［実施形態８］
図８は本発明の自動販売機に係る実施形態８の構成を示すものであって、（ａ）は側面視の断面図、（ｂ）は蒸発器部分の斜視図である。図８において、自動販売機８００において、蒸発器６と床面１９との間に隙間１８が空いていて、隙間１８を閉塞する風ガイド８０１、８０２が設置されている。
すなわち、風ガイド８０１は蒸発器６の上流側の下端部（「ク」にて示す位置）と床面１９（「オ」にて示す位置）との隙間１８を閉塞する上流側遮風板である。一方、風ガイド８０２は蒸発器６の下流側の下端部（「マ」にて示す位置）と床面１９（「ヤ」にて示す位置）との隙間１８を閉塞する下流側遮風板である。
【００７２】
したがって、循環ダクト吹き出し口１５から吹き出す際に鉛直下方に偏よった高速の空気流れ（実施形態１参照）は、衝立状の風ガイド８０１（上流側遮風板）によって遮られて、隙間１８を通過しないから、流れる空気が確実に蒸発器６に流入することになる。よって、蒸発器６を経由しない未冷却の空気が商品収納庫１内を循環することがなくなるから、送風ファン９が余計な空気を送ることがない。また、未冷却の空気によって、冷却された空気が希釈されて暖まることがなくなるから、商品の冷却時間が短縮する。
一方、下流側遮風板である風ガイド８０２は蒸発器６の下流側の下端部「マ」と床面「ヤ」との隙間１８を閉塞するため、蒸発器６を通過した空気が隙間１８に侵入して渦を生じることがないから、乱れの少ない空気流れをヒータ７に供給することができる。
【００７３】
なお、風ガイド８０１、８０２は床面１９に立設されるものに限定するものではなく、風ガイド８０１を下流に向かって上昇する傾斜板（実施形態２における風ガイド２０１に準じる）にしたり、循環ダクト吹き出し口１５の下端縁「ロ」と蒸発器６の上流側の下端部「ク」とを連結する傾斜板（実施形態１における風ガイド１０１に準じる）にしてもよい。一方、風ガイド８０２をヒータ７の下端部「ヌ」に向かって上昇する傾斜板（実施形態２における風ガイド２０２に準じる）にしてもよい。
さらに、風ガイド８０１と風ガイド８０２とは一対で設置されるものに限定するものではなく、何れか一方のみを設置した場合であっても前記作用効果が得られるものである。また、実施形態１〜５に示す風ガイド１０１、２０１、２０２、３０１、４０１、５０１を併用すれば、さらに熱交換効率が向上して自動販売機の消費電力の低減が図られる。
【００７４】
［実施形態９］
図１１および図１２は、本発明の自動販売機に係る実施形態９の構成を示すものであって、図１１は側面視の断面図、図１２の（ａ）は一部を拡大した側面視の断面図、図１２の（ｂ）は一部を拡大した平面視の断面図、図１２の（ｃ）は一部を模式的に示す斜視図である。
図１１において、自動販売機２１０には熱交換室を形成する風洞１８の内部にダクト状の風ガイド２１１（以下、ヒータ用ダクトと称す）が設置されている。
すなわち、ヒータ用ダクト２１１は、蒸発器６の下流側で、ヒータ７の上流側に配置されて、空気流れをヒータ７に集中するよう誘導している。
【００７５】
図１２において、ヒータ用ダクト２１１は、下方位置の空気流れを上方に誘導する斜め上向きガイド板２１１ａと、上方位置の空気流れを下方に誘導する斜め下向きガイド板２１１ｂと、側方位置の空気流れをヒータ７に集中するように誘導する斜め内向きガイド板２１１ｃ、２１１ｄとから構成されている。
斜め上向きガイド板２１１ａは、風洞１８の底面に対して所定の角度傾斜して下流側が持ち上がった「斜面あいうえ（位置「あ」、「い」、「う」および「え」を結ぶ平面、以下、同様に定義する）」に位置している。同様に、斜め上向きガイド板２１１ｂは、風洞１８の天井に対して所定の角度傾斜して下流側が下がった「斜面おかきく」に位置している。斜め内向きガイド板２１１ｃは、風洞１８の一方の側面に対して所定の角度傾斜して下流側が内側に入った「斜面あおけこ」に位置している。同様に、斜め内向きガイド板２１１ｄは、風洞１８の他方の側面に対して所定の角度傾斜して下流側が内側に入った「斜面いかさし」に位置している。
【００７６】
そして、斜め上向きガイド板２１１ａは、「斜面あいうえ」の「斜面あおけこ」と「斜面いかさし」とによって挟まれた範囲であって、「台形板あいすせ」である。以下同様に、斜め下向きガイド板２１１ｂは「台形板おかそた」、一方の斜め内向きガイド板２１１ｃは「台形板あおたせ」、他方の斜め内向きガイド板２１１ｄは「台形板いかそす」である。
したがって、ヒータ用ダクト２１１はヒータ７に向かった絞られた略四角錐台状（底と天井が開口している）であるから、空気流れをヒータ７に集中するよう確実に誘導している。
なお、斜め上向きガイド板２１１ａと斜め下向きガイド板２１１ｂとは、および、一方の斜め内向きガイド板２１１ｃと他方の斜め内向きガイド板２１１ｄとは、それぞれ同一形状であるものに限定するものではなく、ヒータ７の型式や配置位置に応じて適宜変更されるものである。たとえば、ヒータ用ダクトが底が略矩形であって天井が略台形の推台状であってもよい。また、以上は、各ガイド板を平板として説明しているが、本発明はこれに限定するものではなく、曲面であってもよい。また、ヒータ用ダクトは板材の折り曲げ加工によって形成しても、板材を接合して形成してもよく、該折り曲げ部または接合部を略円弧状（フィレット状）に形成してもよい。
さらに、実施形態９は、実施形態１〜８と適宜併用することができる。また、図示するヒータ７は模式的に示すものであって、その型式、大きさ、設置位置等は限定するものではない。
【００７７】
［実施形態１０］
図１３は、本発明の自動販売機に係る実施形態１０の構成を示すものであって、（ａ）は側面視の断面図、（ｂ）は一部を模式的に示す斜視図である。
図１３において、自動販売機２２０には熱交換室を形成する風洞１８の内部にチャンネル状の風ガイド２２１（以下、ヒータ用チャンネルと称す）が設置されている。すなわち、ヒータ用チャンネル２２１は、蒸発器６の下流側で、ヒータ７の上流側に配置されて、空気流れをヒータ７に集中するよう誘導している。
図１３において、ヒータ用チャンネル２２１は、下方位置の空気流れを上方に誘導する斜め上向きガイド板２２１ａと、側方位置の空気流れをヒータ７に集中するように誘導する斜め内向きガイド板２２１ｃ、２２１ｄとから構成されている。
【００７８】
すなわち、実施形態８（図１１，１２参照）における、ヒータ用ダクト２１１から斜め下向きガイド板２１１ｂを撤去して、斜め内向きガイド板２１１ｃ、２１１の高さを低くしたものであるから、斜め上向きガイド板２２１ａは「台形板あいすせ」で、一方の斜め内向きガイド板２２１ｃは「台形板あつたせ」、他方の斜め内向きガイド板２２１ｄは「台形板いちそす」である。
したがって、ヒータ用チャンネル２２１はヒータに向かって絞られた溝を形成するから、空気流れをヒータ７に集中するように誘導している。特に、空気流れが下方の全幅にわたって偏位する場合であっても、最少の部材でもって効果的に該誘導をすることができる。
なお、各ガイド板の形状や形成方法は、実施形態９と同様に限定するものではなく、実施形態１〜８と併用自在である。
【産業上の利用可能性】
【００７９】
本発明は以上の構成であるから、各種自動販売機における、空気の流れの均一化手段として広く利用することができる。
【図面の簡単な説明】
【００８０】
【図１】本発明の自動販売機に係る実施の形態１の構成を示すものであって、（ａ）は側面視の断面図、（ｂ）は一部の正面視の断面図。
【図２】本発明の自動販売機に係る実施の形態２の構成を示すものであって、（ａ）は側面視の断面図、（ｂ）は一部を拡大した断面図。
【図３】本発明の自動販売機に係る実施の形態３の構成を示すものであって、（ａ）は側面視の断面図、（ｂ）は後面壁を透視した一部の斜視図。
【図４】本発明の自動販売機に係る実施の形態４の構成を示すものであって、（ａ）は側面視の断面図、（ｂ）は風ガイドを示す正面図。
【図５】本発明の自動販売機に係る実施の形態５の構成を示す側面視の断面図。
【図６】本発明の自動販売機に係る実施の形態６の構成を示すものであって、（ａ）は側面視の断面図、（ｂ）はヒータの斜視図。
【図７】本発明の自動販売機に係る実施の形態７の構成を示すものであって、（ａ）は側面視の断面図、（ｂ）はヒータの正面図。
【図８】本発明の自動販売機に係る実施の形態８の構成を示すものであって、（ａ）は側面視の断面図、（ｂ）は蒸発器部分の斜視図。
【図９】従来の自動販売機を示す全体の横断面図。
【図１０】従来の自動販売機を示す一部を拡大した横断面図。
【図１１】本発明の自動販売機に係る実施形態９の構成を示す側面視の断面図。
【図１２】本発明の自動販売機に係る実施形態９の構成を示すものであって、（ａ）は一部を拡大した側面視の断面図、（ｂ）は一部を拡大した平面視の断面図、（ｃ）は一部を模式的に示す斜視図。
【図１３】本発明の自動販売機に係る実施形態１０の構成を示すものであって、（ａ）は側面視の断面図、（ｂ）は一部を模式的に示す斜視図。
【符号の説明】
【００８１】
１  商品収納庫、      ２  シュータ、      ３  商品、  
４  商品ラック、      ５  冷却ユニット、  ６  蒸発器、
７  ヒータ、          ８  熱交換室、      ９  送風ファン、
１０  商品搬出口、    １１  循環ダクト、  １２  前面壁、 
１３  後面壁、        １４  循環ダクト壁、１５  循環ダクト吹き出し口、
１７  循環ダクト吸い込み口、              １９  床面、
１００  自動販売機（形態１）、１０１  風ガイド（循環ダクト〜蒸発器間）、
２００  自動販売機（形態２）、２０１、２０２  風ガイド（熱交換室内）、
２１０  自動販売機（形態９）、２１１、ヒータ用ダクト（熱交換室内）、
２２０  自動販売機（形態１０）、２２１、ヒータ用チャンネル（熱交換室内）、
３００  自動販売機（形態３）、３０１  風ガイド（循環ダクト内）、
４００  自動販売機（形態４）、４０１  風ガイド（網状部材）、
５００  自動販売機（形態５）、５０１  風ガイド（循環ダクト吹き出し口）、
６００  自動販売機（形態６）、６０１  ヒータ（屈曲形状）、
７００  自動販売機（形態７）、７０１  ヒータ（放熱フィン付）、
８００  自動販売機（形態８）、８０１、８０２  風ガイド（蒸発器床面隙間）
【図１】
2005018733.tif 000003
【図２】
2005018733.tif 000004
【図３】
2005018733.tif 000005
【図４】
2005018733.tif 000006
【図５】
2005018733.tif 000007
【図６】
2005018733.tif 000008
【図７】
2005018733.tif 000009
【図８】
2005018733.tif 000010
【図９】
2005018733.tif 000011
【図１０】
2005018733.tif 000012
【図１１】
2005018733.tif 000013
【図１２】
2005018733.tif 000014
【図１３】
2005018733.tif 000015